(57)【要約】【課題】  情報処理装置から音声信号を音声出力可能な装置に出力し、音声出力可能な装置から出力された上記音声信号に対応する音声が情報処理装置に到達するまでの時間を計測する。【解決手段】  テスト音声信号出力からテスト音声入力までの時間差を算出する。その際、情報処理装置に備えられたＡＧＣ回路から出力されるゲイン制御信号を利用して、テスト音声入力を検知する。【選択図】  図１
2009130509.tif 000002
【特許請求の範囲】
【請求項１】
音声を集音し音声信号を得る集音手段と、
前記集音手段により集音された音声信号の振幅レベルに応じて、前記音声信号の振幅レベルを調整するための調整信号を発生する信号発生手段と、
前記信号発生手段からの調整信号に基づいて、前記音声信号の音声レベルを調整する調整手段とを有する情報処理装置であって、
所定の音声信号を外部装置に出力するとともに、前記所定の音声信号を発生させたことを示す発生信号を出力する音声出力手段と、
前記外部装置によって出力された前記所定の音声信号に対応する音声を前記集音手段により集音したことに応じて前記発生手段により発生された調整信号に基づいて、前記所定の音声信号に対応する音声を受信したことを示す受信信号を出力する検出手段と、
前記発生信号の出力された時間と前記受信信号の出力された時間との差を算出する算出手段を有することを特徴とする情報処理装置。
【請求項２】
前記検出手段は、前記外部装置によって出力された前記所定の音声信号に対応する音声を前記集音手段により集音したことに応じて前記発生手段により発生された調整信号の変化量に基づいて、前記所定の音声信号に対応する音声信号を受信したことを示す受信信号を出力することを特徴とする請求項１記載の情報処理装置。
【請求項３】
前記音声出力手段は、前記所定の音声信号を振幅レベルを異ならせて複数回出力することを特徴とする請求項１または２記載の情報処理装置。
【請求項４】
前記音声出力手段は、前記所定の音声信号の振幅レベルが徐々に大きくなるように複数回出力することを特徴とする請求項３記載の情報処理装置。
【請求項５】
記憶媒体から映像データを再生して第１のタイミングで出力すると共に、前記映像データに関連づけられた音声データを再生して前記第１のタイミングに応じた第２のタイミングで出力する再生手段と、
前記再生手段により再生された音声データを前記第２のタイミングよりも前記算出手段により算出された時間の差の分だけ先に出力するよう前記再生手段を制御する再生制御手段とを有することを特徴とする請求項１から４のいずれか１項に記載の情報処理装置。
【請求項６】
記憶媒体から映像データを再生して第１のタイミングで出力すると共に、前記映像データに関連づけられた音声データを再生して前記第１のタイミングに応じた第２のタイミングで出力する再生手段と、
前記再生手段により再生された音声データを前記第２のタイミングよりも前記算出手段により算出された時間の差の分だけ先に再生するよう前記再生手段を制御する再生制御手段とを有することを特徴とする請求項１から４のいずれか１項に記載の情報処理装置。
【請求項７】
前記算出手段により得られた時間の差を示す信号を外部に出力する外部出力手段を有することを特徴とする請求項１から６の何れか１項記載の情報処理装置。
【請求項８】
前記算出手段により得られた時間の差を示す情報を報知する報知手段を備えたことを特徴とする請求項１から７のいずれか１項記載の情報処理装置。
【請求項９】
前記算出手段により得られた時間の差と音速とから距離を示す情報を報知する報知手段を備えたことを特徴とする請求項１から７のいずれか１項記載の情報処理装置。
【請求項１０】
被写体を撮像し映像信号を得る撮像手段と、
所定の映像信号を外部装置に出力するとともに、前記所定の映像信号を発生させたことを示す発生信号を出力する映像出力手段と、
前記外部装置によって出力された前記所定の映像信号に対応する映像を前記撮像手段により撮像したことに応じて、前記所定の映像信号に対応する映像を撮像したことを示す受信信号を出力する映像検出手段と、
前記発生信号の出力された時間と前記受信信号の出力された時間との差を算出する測定手段を有することを特徴とする請求項１から９の何れか１項記載の情報処理装置。
【請求項１１】
前記映像検出手段は、前記撮像手段により撮像して得られた、所定の映像信号に対応する映像の映像信号の輝度の変化量を検出することを特徴とする請求項１０記載の情報処理装置。
【請求項１２】
被写体を撮像し映像信号を得る撮像手段を有する情報処理装置であって、
所定の映像信号を外部装置に出力するとともに、前記所定の映像信号を発生させたことを示す発生信号を出力する映像出力手段と、
前記外部装置によって出力された前記所定の映像信号に対応する映像を前記撮像手段により撮像したことに応じて、前記所定の映像信号に対応する映像を撮像したことを示す受信信号を出力する検出手段と、
前記発生信号の出力された時間と前記受信信号の出力された時間との差を算出する算出手段を有することを特徴とする情報処理装置。
【発明の詳細な説明】
【技術分野】
【０００１】
本発明は、情報処理装置に関し、特に映像信号と音声信号とを再生、出力可能な情報処理装置に関する。
【背景技術】
【０００２】
従来、映像信号と音声信号を再生、出力することができるビデオカメラ等の情報処理装置が知られている。この種の情報処理装置は、外部の装置であるテレビ等に映像信号や音声信号を出力する事が可能である。
【０００３】
また、この種の情報処理装置は、マイク等の集音装置から得られた音声信号が過大レベルの入力とならないようにするために、オートゲインコントロール回路（以下、ＡＧＣ回路という）が設けられている。このＡＧＣ回路は、入力された音声信号に対する出力の割合を調整することにより音声信号のレベルを調整している。（例えば、特許文献１）
【特許文献１】特開平０９−０９３０６３号公報
【発明の開示】
【発明が解決しようとする課題】
【０００４】
このような情報処理装置では、例えば、テレビ等に接続し、ビデオ映像等の映像信号と音声信号を出力する場合、略ユーザが視聴する位置において、聞こえる音声と、見える映像がずれてしまうことがあった。これは、テレビに表示された映像がユーザの地点に届くまでの時間と、テレビで再生された音声がユーザに届くまでの時間に差があるからである。つまり、光の速度と、音の速度とが異なることが原因である。
【０００５】
本発明は、このような問題に鑑みてなされたもので、情報処理装置が音声を出力したタイミングと、略ユーザの視聴する位置に音声が到達したタイミングとのずれを容易に計測することができる情報処理装置を提供することを目的とする。
【課題を解決するための手段】
【０００６】
このような課題を解決するために、本発明の情報処理装置は、音声を集音し音声信号を得る集音手段と、前記集音手段により集音された音声信号の振幅レベルに応じて、前記音声信号の振幅レベルを調整するための調整信号を発生する信号発生手段と、前記信号発生手段からの調整信号に基づいて、前記音声信号の音声レベルを調整する調整手段とを有する情報処理装置であって、所定の音声信号を外部装置に出力するとともに、前記所定の音声信号を発生させたことを示す発生信号を出力する音声出力手段と、前記外部装置によって出力された前記所定の音声信号に対応する音声を前記集音手段により集音したことに応じて前記発生手段により発生された調整信号に基づいて、前記所定の音声信号に対応する音声を受信したことを示す受信信号を出力する検出手段と、前記発生信号と前記受信信号の出力された時間差を算出する算出手段を有することを特徴とする。
【発明の効果】
【０００７】
本発明によれば、情報処理装置の音声出力タイミングと、音声の到達タイミングとのずれが容易に計測できるので、例えば、ユーザの視聴位置における映像と音声のずれを補正することができる。
【発明を実施するための最良の形態】
【０００８】
以下、図面を参照して本発明の実施例を詳細に説明する。
【実施例１】
【０００９】
音声を集音することができ、映像データと音声データを再生し、外部に出力することがすることができる情報処理装置について説明する。
【００１０】
図１は、本実施例のビデオカメラのブロック図である。
【００１１】
図１において、１０１はビデオカメラの各種機能に応じて、各ブロックを制御する制御部である。１０２は、外部からの指示をビデオカメラに入力するための操作部である。操作部１０２は、電源スイッチや、記録モードや再生モードを選択する選択スイッチ、撮影の開始・終了を指示をするボタン等から構成されている。１０３は、制御部１０１からの制御信号や、操作部１０２からの指示信号等が行き来する制御信号バスである。１０４は、各ブロック間の画像データおよび音声データが行き来する画像／音声データバスである。
【００１２】
１０５は、被写体の光学像を取り込む撮影レンズや、光量を制御する絞り、光学像を電気信号に変換する撮像素子等からなる撮像部であり、映像信号や画像信号を入力するものである。１０６は、撮像部１０５から入力された映像信号を適正な信号レベルにし、デジタルデータに変換し、映像記録方式に必要な処理を行う映像処理部である。映像処理部１０６は、映像データや静止画データを生成することができる。
【００１３】
１０７は、音声を取り込むマイクロフォンである。１０８は、取り込んだ音声信号を適正なレベルに調節するＡＧＣ回路である。ＡＧＣ回路の詳細な動作については後述する。１０９は、ＡＧＣ回路により適正なレベルに調整された音声信号をデジタルデータに変換し、音声記録方式に必要な処理を行い、音声データを得る音声処理部である。
【００１４】
１１０は、記録中は映像処理部１０６から得られた映像データに対応する映像を表示し、再生中は後述の映像再生処理部１１４で再生された映像を表示するほか、各種メニューの表示をすることができる表示部である。１１１は、表示部１１０の表示を制御するための表示制御部である。
【００１５】
１１２は、映像処理部１０６から得られた映像データ、静止画データ、音声処理部１０９から得られた音声データ、その他のデータを必要に応じて関連づけて記録するための記録媒体としてのハードディスク（以後、ＨＤＤ）である。１１３は、ＨＤＤ１１２にアクセスし、上記の映像データ、静止画データ、音声データ、その他のデータ等を読み書きするためのアクセス部である。
【００１６】
１１４は、アクセス部１１３によって読み出されたＨＤＤ１１２の映像データを映像記録方式に従って処理し、所定の形態に変換する映像再生処理部である。１１５は、映像再生処理部１１４で再生された映像信号を外部に出力するための映像端子である。
【００１７】
１１６は、アクセス部１１３によって読み出されたＨＤＤ１１２の音声データを音声記録方式に従って再生する音声再生処理部である。１１７は、音声再生処理部１１６で再生された音声信号を外部に出力するための音声端子である。また、音声再生処理部１１６は、音声端子１１７と映像端子１１５とに接続された外部機器上で、表示される映像の動きと出力される音声のタイミングが合うように、音声信号の出力タイミングを調整する機能を有している。この機能は、音声信号をバッファできるメモリ等を設けたり、遅延回路を設けたりすることで実現できる。
【００１８】
ここで、ＡＧＣ回路１０８について説明する。１１８は、マイクロフォン１０７により取得した音声信号の振幅レベルを調整する振幅制御部であり、音声信号の振幅レベルを適正なレベルに調整して音声処理部１０９に出力している。１１９は、振幅調整部１１８により出力された音声信号の振幅レベルを検出している振幅レベル検出部である。１２０は、振幅レベル検出部１１９で検出された音声信号の振幅レベルに応じて、振幅制御部１１８での振幅制御量を調整するための制御値を決定し調整信号として出力する制御値決定部である。本実施例では、音声信号の振幅レベルが大きいときには小さい値の制御値（例えば負の値）の調整信号を出力し、音声信号の振幅レベルが小さいときには、大きい値の制御値（例えば正の値）の調整信号を出力する。
【００１９】
振幅制御部１１８では、制御値決定部１２０により入力された調整信号の制御値に応じて、マイクロフォン１０７により取得した音声信号の振幅レベルを調整する。例えば、制御値が大きいときには、音声信号のレベルを入力された制御値に応じて増幅し、制御値が小さいときには、音声信号のレベルを入力された制御値に応じて抑制する。
【００２０】
ＡＧＣ回路１０８では、マイクロフォン１０７で得られた音声信号の振幅レベルが大きすぎるときには、振幅レベルを抑制し、振幅レベルが小さすぎるときには、振幅レベルを増幅するように制御している。そのために、振幅レベル検出部１１９で検出された音声信号の振幅レベルに基づいて、制御値決定部１２０は制御値を決定して振幅制御部１１８に出力している。
【００２１】
さらに図１のビデオカメラについて説明する。１２１は、本実施例のビデオカメラがテスト音声信号を出力し、テスト音声を出力したタイミングを示すための発生信号とを出力するテスト信号発生部である。このテスト音声信号は、そのテスト音声信号に対応する音声が音声出力可能な機器によって出力され、再びビデオカメラに入力されるまでの時間を計測する為に使用される。１２２は、制御値決定部１２０からの調整信号を受信して、テスト信号発生部１２１により出力されたテスト音声信号に対応する音声が入力されたことを検知し、その音声が入力されたことを示す受信信号を出力するテスト信号検知部である。１２３は、テスト信号発生部１２１が発生信号を出力した時間と、テスト信号検知部１２２が受信信号を出力した時間との差を算出する遅延時間測定部である。遅延時間測定部では、テスト信号発生部１２１によりテスト音声信号が出力された時間と、テスト信号検出部１２２によりテスト音声信号が入力されたと検出された時間とを比較して、時間の差を算出することになる。
【００２２】
１２４は、制御信号を外部に出力する外部出力端子であり、例えば、遅延信号測定部１２３により測定された遅延信号に関する制御信号を外部に出力することができる外部出力端子である。
【００２３】
本実施例では、記憶媒体としてＨＤＤ１１１を用いているが、これは、ハードディスクに限られるものではなく、磁気（あるいは光磁気）記録メディアなどが考えられる。
【００２４】
また、外部接続端子を更に備えても良く、ＨＤＭＩ端子、ＵＳＢ端子、ＩＥＥＥ１３９４等のデジタルデータ入出力可能な端子が考えられる。
【００２５】
まず、本実施例のビデオカメラの動画記録動作について説明する。
【００２６】
操作部１０２の電源スイッチが操作されたことに応じて、ビデオカメラは撮影待機状態になる。この状態で、ユーザが操作部１０２の撮影ボタンを操作することにより、ビデオカメラに動画撮影開始の指示がなされる。この動画撮影開始の指示に応じて、制御部１０１は、撮像部１０５、映像処理部１０６等に撮影開始の指示信号を送信する。
【００２７】
撮影が開始すると、撮像部１０５の撮影レンズを通って入射した被写体からの光は、絞りにより光量を制御され、撮像素子により電気信号に変換される。該電気信号は、映像処理部１０６で適正な信号レベルに調整され、デジタルデータに変換される。そしてデジタルデータに変換された映像信号は、映像処理部１０６の画素数調整回路等によって適切な画素数に調整され、所定の映像記録方式で圧縮符号化され、映像データとなる。
【００２８】
また、マイクロフォン１０７により取り込まれた音声信号は、ＡＧＣ回路１０８で適正なレベルに調整され、音声処理部１０９でデジタルデータに変換される。
【００２９】
そして、制御部１０１は、上述の映像データと上述の音声データとを合成しデータストリームを形成し、アクセス部１１３に出力する。アクセス部１１３は、制御部１０１の指示に基づき、ＵＤＦ、ＦＡＴ等のファイルシステム管理のもとに、映像データと音声データのデータストリームを一つの動画ファイルとしてＨＤＤ１１２に書込みはじめる。ファイルシステムとは、ファイルの管理を行うための管理情報とファイルデータからなる構造体系を意味する。このファイルシステムを共通化することによって、異なった記憶媒体あるいは記録再生機器でも記録再生できる。
【００３０】
データストリームは、必要に応じて表示制御部１１１を通して、表示部１１０に表示されることもある。
【００３１】
そして、ユーザが操作部１０２の撮影ボタンを再度操作することにより、ビデオカメラに動画撮影終了の指示がなされたことに応じて、制御部１０１は、撮像部１０５、映像処理部１０６等に撮影終了の指示信号を送信する。
【００３２】
動画撮影終了の指示信号を受信したことに応じて、撮像部１０５、映像処理部１０６は、撮影動作を終了する。アクセス部１１３は、制御部１０１の指示のもと、撮影開始から撮影終了までに記録された一連の映像データと音声データとを一つのファイルとしＨＤＤ１１２に書込み、記録動作を終了する。制御部１０１は、ビデオカメラを撮影待機状態に遷移させる。
【００３３】
次に、本実施例のビデオカメラの通常の再生動作について説明する。
【００３４】
制御部１０１は、操作部１０２の選択スイッチによって再生モードが指定されたことに応じて、ＨＤＤ１１２から映像データや静止画データを読み出すよう、アクセス部１１３を制御する。そして、読み出された映像データや静止画データのサムネイルを並べたサムネイル画面や、映像データや静止画データのファイル名を表示部１１０に表示するよう、表示制御部１１１を制御する。また、最後に撮影した映像データや静止画データ等を表示部１１０に表示するよう、表示制御部１１１を制御してもよい。
【００３５】
そして、サムネイル画面が表示された状態で、ユーザが操作部１０２を操作して、映像データや静止画データを再生する指示をすると、制御部１０１は、各画像データを再生するよう各ブロックを制御する。
【００３６】
映像データを再生する際は、制御部１０１は、操作部１０２からの指示に応じて、ＨＤＤ１１３から読み出したコンテンツデータを制御部１０１で音声データと映像データとを分離する。そして映像データは、映像再生処理部１１４で、復号されている情報量が伸張され、表示制御部１１１によって表示部１１０で映像として表示される。このとき、映像端子１１５からも映像信号を出力するように構成されているので、映像端子１１５を通して接続された映像表示可能な装置が映像を表示することができる。音声データは、音声再生処理部１１６に送信され、復号された情報量が伸張されて、アナログ信号に変換された音声信号が、音声端子１１７から出力される。これにより、音声端子１１７に接続された音声出力可能な装置から、音声が出力されることになる。
【００３７】
通常、外部に映像信号と音声信号とを出力する場合には、映像の動きに音声が合うようにするために、映像信号を出力する第１のタイミングに応じて、音声信号を第２のタイミングで出力するように制御している。
【００３８】
ここで、本実施例のビデオカメラにおいて、音声信号を出力したタイミングと、音声出力可能な装置から出力された音声がビデオカメラの位置に音声が到達するタイミングとのずれを計測する方法について図１および図２を用いて説明する。
【００３９】
ユーザは、音声出力可能な装置に音声端子１１７を接続した状態で、操作部１０２の選択スイッチを操作し、再生モードを指定する。再生モードが指定されると、制御部１０１は、上述のように再生待機状態に移行するが、この時に、ユーザが更に操作部１０２を操作することにより、さらに遅延時間測定モードに移行することができる。
【００４０】
遅延時間測定モードでは、ビデオカメラの音声端子１１７から音声出力可能な装置にテスト音声信号を出力し、音声出力可能な装置によりテスト音声信号に対応する音声を出力させる。そして、音声出力可能な装置により出力されたテスト音声信号に対応する音声をマイクロフォン１０７で受信する。そして、テスト音声信号出力から、テスト音声信号に対応する音声の入力までの時間差を計測することにより、「遅延時間」を測定する。この「遅延時間」は、音声信号を出力したタイミングと、音声出力可能な装置から出力された音声がビデオカメラ位置に音声が到達するタイミングとのずれを示す時間である。
【００４１】
遅延時間測定モードに設定されると、制御部１０１は、テスト信号発生部１２１やマイクロフォン１０７、ＡＧＣ回路１０８を待機状態に移行させる。また、制御部１０１は、表示部１１０に、遅延時間測定モードである旨の表示をし、測定スタートボタンの表示等をするように、表示制御部１１１を制御する。
【００４２】
次に、ユーザが、遅延時間測定を開始するよう、操作部１０２を操作したことに応じて、テスト信号発生部１２１は音声端子１１７に、図２（ａ）の２０１に示すようなテスト音声信号を出力する。図２（ａ）では、横軸に時間を縦軸に振幅をとした音声信号を示している。ここでは、一定期間所定の振幅レベルの音声信号を出力している例を示している。音声は、単一周波数の正弦波でも良いし、楽器の音等でもかまわない。また、外部の音声よりも音声レベルの高い大きい音声が出力されるようにテスト音声信号の波形を制御しても良い。
【００４３】
このとき、テスト信号発生部１２１は、テスト音声信号を出力したタイミングを示す、図２（ｂ）の２０２に示すような発生信号を遅延時間測定部１２３に出力する。図２（ｂ）においても横軸を時間軸とし、縦軸に例えば電圧値を示したものである。
【００４４】
音声端子１１７から出力された音声信号は、音声出力可能な装置によって音声として出力される。
【００４５】
音声出力可能な装置によって再生されたテスト音声信号に対応する音声は、本実施例のビデオカメラに備えられた、マイクロフォン１０７によって再び集音され、音声信号に変換される。マイクロフォン１０７には、音声出力可能な装置から出力されたテスト音声信号に対応する音声のほか、外部で発生した音声も入力されるので、マイクロフォン１０７により得られる音声信号は、図２（ｃ）に示すような波形となる。２０３は、テスト信号発生部１２１によって発生されたテスト音声信号に対応する音声をマイクロフォン１０７で集音して得られた音声信号を示す音声波形である。
【００４６】
このとき、ＡＧＣ回路１０８では、振幅レベル検出部１１９によって、入力された音声波形のうち、テスト音声信号に対応する音声の音声信号の振幅レベルが検出される。テスト音声信号に対応する音声の音声信号の振幅レベルが周囲の音声よりも大きい音声であれば、制御値決定部は、振幅制御部１１８にて音声信号の振幅レベルを下げるために、通常よりも低い制御値を振幅制御部１１８に送信することになる。例えば、図２（ｄ）の２０４に示すように、テスト音声信号に対応する音声の音声信号を減衰させるために低い値の制御値が送信されることになる。図２（ｄ）では、横軸に時間を、縦軸に制御値を示したものである。
【００４７】
このとき、制御値決定部１２０は、テスト信号検出部１２２に制御値を同時に送信する。
【００４８】
テスト信号検出部１２２では、まず、入力された制御値の微分値をとり、図２（ｅ）のような波形を得る。図２（ｅ）では、横軸に時間を、縦軸に制御値の変化量を示したものである。次に、テスト信号検出部１２２では、所定の閾値（閾値Ｃ）よりも小さくなったことを検知して、図２（ｆ）のに示すような受信信号を遅延時間測定部１２３に出力する。図２（ｆ）においても横軸を時間軸とし、縦軸に例えば電圧値を示したものである。
【００４９】
以上の工程により、遅延時間測定部１２３には、発生信号２０２および受信２０５が入力されている。遅延時間測定部１２３では、発生信号２０２と受信信号２０５の入力された時間の差を算出することで、「遅延時間」を求めることができる。
【００５０】
そして、遅延時間測定部１２３は、「遅延時間」を制御部１０１に送信する。制御部１０１は、この遅延時間を受信したことにより、遅延時間測定モードから通常の再生モードにビデオカメラのモードを移行する。
【００５１】
再生モードにおいて、ＨＤＤ１１２に記録された動画データを再生する際には、映像端子１１５から映像信号を、音声端子１１７から音声信号をそれぞれ出力する。このときに、音声信号を映像信号よりも遅延時間測定部１２３で算出された時間の差（「遅延時間」）の分だけ先に出力する。このようにすることで、ビデオカメラを操作しているユーザの地点において、見える映像と、聞こえる音声とのずれが少なくすることができる。
【００５２】
本実施例では、遅延時間測定部１２３により算出された「遅延時間」を報知しても良い。例えば、表示部１１０に表示させても良く、音声端子から「遅延時間」を示す音声信号を出力してもよく、映像端子から「遅延時間」を示す映像信号を出力しても良い。このようにすることで、ユーザがどの程度音声が遅れているのかを知ることができる。また、「遅延時間」と音速とから音声出力可能な装置との距離を算出して報知しても良い。例えば、表示部１１０に表示させても良く、音声端子から距離を示す音声信号を出力してもよく、映像端子から距離を示す映像信号を出力しても良い。このようにすることで、音声出力可能な装置との距離を目視等で確認することにより遅延検出に誤りがないかを否かを容易に確認することができる。
【００５３】
本実施例では、ビデオカメラで映像信号と音声信号の出力タイミングを調整したが、「遅延時間」に関する信号を外部装置に転送し、テレビ等の回路で映像の表示と音声の出力のタイミングを調整しても良い。
【００５４】
本実施例では、ビデオカメラで映像信号と音声信号の出力タイミングを調整したが、アクセス部１１３において、音声信号と映像信号とを別々に再生することで、音声信号を映像信号よりも「遅延時間」だけ先に出力されるようにしても良い。
【００５５】
本実施例では、周囲の音声を集音して得られた音声信号の振幅レベルに応じてテスト信号出力部１２１で出力するテスト音声信号の振幅レベルを調整しても良い。すなわち、周囲の音声に対応する音声信号の振幅レベルが大きい場合には、テスト音声信号の振幅レベルが大きくなるように調整して出力してもよい。このようにすることで、周囲で雑音が発生している際に、遅延時間測定を行っても測定に失敗する可能性を低減することができる。
【００５６】
また、テスト音声信号は、一度だけの出力ではなく、振幅レベルを異ならせて複数回出力するようにしても良い。この様にすることで、周囲で雑音が発生していたりや、音声出力可能な装置のボリュームが下げられていたりしても、遅延時間測定に失敗する可能性を低減することができる。
【００５７】
さらに、テスト音声信号を複数回出力する場合、振幅レベルを徐々に大きくすることによって、より遅延時間測定を効率的に行うことができる。
【実施例２】
【００５８】
実施例１では、音声の「遅延時間」を計測する方法について説明したが、本実施例では、映像の「遅延時間」も計測する方法について図３を用いて説明する。図１と同様の機能を有するものについては、同じ番号を付し、説明を省略する。音声の「遅延時間」を計測するブロックについては実施例１で説明したため省略するが、実施例２においても、この回路は使用されており、音声の「遅延時間」計測をすることは可能である。
【００５９】
図３において、３０１は、本実施例のビデオカメラがテスト映像信号を出力し、テスト映像を出力したタイミングを示すための発生信号とを出力するテスト映像信号発生部である。このテスト映像信号は、そのテスト映像信号に対応する映像が映像出力可能な機器によって出力され、再びビデオカメラに入力されるタイミングとのずれを計測する為に使用される。３０２は、映像処理部１０５からの映像信号を受信して、テスト映像信号発生部３０１により出力されたテスト映像信号に対応する映像が入力されたことを検知し、その映像が入力されたことを示す受信信号を出力するテスト映像信号検知部である。３０２では、輝度信号を検出するようにしても良い。３０３は、テスト映像信号発生部３０１が発生信号を出力した時間と、テスト映像信号検知部３０２が受信信号を出力した時間との差を算出する映像遅延時間測定部である。映像遅延時間測定部３０３では、テスト映像信号発生部３０１によりテスト映像信号が出力された時間と、テスト映像信号検出部３０２によりテスト映像信号が入力されたと検出された時間とを比較して、時間の差を算出することになる。
【００６０】
ユーザは、映像出力可能な装置に映像端子１１５を接続した状態で、操作部１０２の選択スイッチを操作し、再生モードを指定する。再生モードが指定されると、制御部１０１は、再生待機状態に移行するが、この時に、ユーザが更に操作部１０２を操作することにより、さらに遅延時間測定モードに移行することができる。
【００６１】
本実施例の遅延時間測定モードでは、ビデオカメラの映像端子１１５から映像出力可能な装置にテスト映像信号を出力し、映像出力可能な装置によりテスト映像信号に対応する映像を出力させる。そして、映像出力可能な装置により出力されたテスト映像信号に対応する映像を撮像部１０５で撮像する。そして、テスト映像信号出力から、テスト映像信号に対応する映像の入力までの時間差を計測することにより、映像の「遅延時間」を測定する。
【００６２】
遅延時間測定モードに設定されると、制御部１０１は、テスト映像信号発生部３０１や撮像部１０５、映像処理部１０６を待機状態に移行させる。また、制御部１０１は、表示部１１０に、遅延時間測定モードである旨の表示をし、測定スタートボタンの表示等をするように、表示制御部１１１を制御する。
【００６３】
次に、ユーザが、遅延時間測定を開始するよう、操作部１０２を操作したことに応じて、テスト映像信号発生部３０１は映像端子１１５に、テスト映像信号を出力する。本実施例では、例えば輝度が大きく変化するような映像信号を出力する。映像信号は、これ以外の映像信号でもよい。また、映像の変化があるであればよいが、急な変化である方が望ましい。
【００６４】
このとき、テスト映像信号発生部３０１は、テスト映像信号を出力したタイミングを示す、発生信号を映像遅延時間測定部３０３に出力する。
【００６５】
映像端子１１５から出力された映像信号は、映像出力可能な装置によって映像として出力される。
【００６６】
映像出力可能な装置によって再生されたテスト映像信号に対応する映像は、本実施例のビデオカメラに備えられた、撮像部１０５によって再び撮像され、映像信号に変換される。
【００６７】
テスト映像信号検出部３０２では、例えば、テスト映像信号発生部３０１で、輝度の変化の大きい映像を出力した場合には、映像処理部１０６から入力された輝度信号を受信し、輝度信号の微分値を計測する。これにより、テスト映像信号検出部３０２では、輝度信号の微分値が所定の閾値よりも小さくなったことを検知して、テスト映像信号に対応する映像が含まれる映像信号が入力されたことを検知する。次に、テスト映像検出部３０２は、テスト映像信号に対応する映像が含まれる映像信号が入力されたことを示す受信信号を映像遅延時間測定部３０３に送信する。
【００６８】
以上の工程により、映像遅延時間測定部３０３には、発生信号と受信信号が入力されていることになる。映像遅延時間測定部３０３では、発生信号と受信信号の入力された時間の差を算出することで、「遅延時間」を求めることができる。
【００６９】
そして、映像遅延時間測定部３０３は、「遅延時間」を制御部１０１に送信する。制御部１０１は、この遅延時間を受信したことにより、遅延時間測定モードから通常の再生モードにビデオカメラのモードを移行する。
【００７０】
また、この時、同時に実施例１で説明した音声の「遅延時間」測定を行うようにすることも可能である。
【００７１】
再生モードにおいて、ＨＤＤ１１２に記録された動画データを再生する際には、映像端子１１５から映像信号を、音声端子１１７から音声信号をそれぞれ出力する。このときに、映像の「遅延時間」と音声の「遅延時間」が計測されているので、音声信号と映像信号の出力タイミングをあわせて出力する。このようにすることで、ビデオカメラを操作しているユーザの地点において、見える映像と、聞こえる音声とのずれが少なくすることができる。
【００７２】
（他の実施例）
本発明は、実施例では、動画データを再生し、音声を集音することができる情報処理装置として、ビデオカメラについて説明したが、これ以外の装置でも、動画データを再生し、音声を集音する機能を有する装置であれば適用可能である。
【００７３】
また、本発明の目的は、前述した実施形態の機能を実現するソフトウェアのプログラムコードを記録した記憶媒体を、システム或いは装置に供給することによっても、達成されることは言うまでもない。このとき、供給されたシステム或いは装置のコンピュータ（またはＣＰＵやＭＰＵ）は、記憶媒体に格納されたプログラムコードを読み出し実行する。
【００７４】
この場合、記憶媒体から読み出されたプログラムコード自体が前述した実施形態の機能を実現することになり、プログラムコード自体及びそのプログラムコードを記憶した記憶媒体は本発明を構成することになる。
【００７５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００７６】
また、上述のプログラムコードの指示に基づき、コンピュータ上で稼動しているＯＳ（基本システムやオペレーティングシステム）などが処理の一部又は全部を行い、その処理によって前述した実施形態の機能が実現される場合も含まれることは言うまでもない。
【００７７】
さらに、記憶媒体から読み出されたプログラムコードが、コンピュータに挿入された機能拡張ボードやコンピュータに接続された機能拡張ユニットに備わるメモリに書込まれ、前述した実施形態の機能が実現される場合も含まれることは言うまでもない。このとき、そのプログラムコードの指示に基づき、その機能拡張ボードや機能拡張ユニットに備わるＣＰＵ等が実際の処理の一部又は全部を行う。
【図面の簡単な説明】
【００７８】
【図１】実施例１のビデオカメラのブロック図である。
【図２】実施例１の各信号の波形を示す図である。
【図３】実施例２のビデオカメラのブロック図である。
【符号の説明】
【００７９】
１０１  制御部
１０２  操作部
１０３  制御バス
１０４  画像／音声バス
１０５  撮像部
１０６  映像処理部
１０７  マイクロフォン
１０８  ＡＧＣ回路
１０９  音声処理部
１１０  表示部
１１１  表示制御部
１１２  ハードディスク
１１３  アクセス部
１１４  映像再生処理部
１１５  映像端子
１１６  音声再生処理部
１１７  音声端子
１１８  振幅制御部
１１９  振幅レベル判定部
１２０  制御値決定部
１２１  テスト信号発生部
１２２  テスト信号検出部
１２３  遅延時間測定部
１２４  外部出力端子
【図１】
2009130509.tif 000003
【図２】
2009130509.tif 000004
【図３】
2009130509.tif 000005